(57)【要約】【課題】壁掛け部品に下方向からの力が加わった場合、壁掛け部品に形成された経路の上側の縁と軸部の衝突によって生じる合力が水平方向の成分を持つことが考えられ、下方向からの衝撃によって、斜め上方向に固定対象物が移動してしまうおそれがある。【解決手段】円柱の軸部と、前記軸部の直径より大きい幅を有するストッパーとを備える壁掛け部品２と、前記軸部の直径以上で、かつ、前記ストッパーの幅以下の幅を有する経路が、鉛直方向に交わる方向に向かって斜めに開口している、壁掛けフレーム３と、前記経路の鉛直方向上方側の縁に設けられた、前記縁から前記経路側に向かって内側に突出する突起と、を備え、前記壁掛け部品を前記壁掛けフレームに挿入して前記経路の下端部まで前記軸部を移動した際に、前記突起は前記軸部を鉛直方向に通る中心線より前記経路の上方側に位置する、固定システムとする。【選択図】図１
2014077450.tif 000002
【特許請求の範囲】
【請求項１】
円柱の軸部と、前記軸部の直径より大きい幅を有するストッパーとを備える壁掛け部品と、
前記軸部の直径以上で、かつ、前記ストッパーの幅以下の幅を有する経路が、鉛直方向に交わる方向に向かって斜めに開口している、壁掛けフレームと、
前記経路の鉛直方向上方側の縁に設けられた、前記縁から前記経路側に向かって内側に突出する突起と、
を備え、
前記壁掛け部品を前記壁掛けフレームに挿入して前記経路の下端部まで前記軸部を移動した際に、前記突起は前記軸部を鉛直方向に通る中心線より前記経路の上方側に位置する、
固定システム。
【請求項２】
前記壁掛け部品を前記壁掛けフレームに挿入して前記経路の下端部まで前記軸部を移動した際に、前記突起は、前記軸部の鉛直方向上方に位置する、
請求項１に記載の固定システム。
【請求項３】
前記突起は前記壁掛けフレームと同一部材からなる、
請求項１または請求項２に記載の固定システム。
【発明の詳細な説明】
【技術分野】
【０００１】
本発明は固定システムに関する。より詳しくは、テレビ等の固定対象物を壁掛け部品を介して、壁面の壁掛けフレームに固定する固定システムに関する。
【背景技術】
【０００２】
近年、テレビ等の表示装置の薄型化が進んでいる。表示装置の薄型化に伴い、固定システムを用いることによって壁面に表示装置を掛けて設置することが可能となった。固定システムとは、壁掛け部品と壁掛けフレームを備え、表示装置等の背面に壁掛け部品を形成し、壁面に設置した壁掛けフレームに壁掛け部品を固定することによって、壁面に表示装置等を掛けることを目的とするシステムである。現に多くの家庭、商業施設でそのように表示装置を設置することがなされている。
【０００３】
特許文献１には、従来の固定システムが開示されている。以下、図９および図１０を用いて従来の固定システムを説明する。
【０００４】
図９は従来の固定システムにおける壁掛け部品が固定対象物から突出している様子を表した図である。壁掛け部品１００は軸部１００ａとストッパー１００ｂとからなる。壁掛け部品１００は固定対象物２００から突出している。
【０００５】
図１０は従来の固定システムにおいて壁掛け部品を壁掛けフレームに固定した状態での断面図である。壁掛けフレーム３００に形成された経路４００に軸部１００ａを挿入することによって壁掛け部品と壁掛けフレームを固定している。
【先行技術文献】
【特許文献】
【０００６】
【特許文献１】特開平１１−２０１３８６号公報
【発明の概要】
【発明が解決しようとする課題】
【０００７】
前記従来の固定システムが開示された文献では溝に屈曲を設けることにより、下方向からの衝撃によっても壁掛け部品が移動し難い旨を開示している。しかし、図１０に表されるように壁掛け部品１００の断面形状が円形状であることを考慮すると、下方向からの力が加わった場合、経路４００の上側の縁５００と軸部１００ａの衝突によって生じる合力が水平方向の成分を持つことが考えられる。
【０００８】
つまり、前記従来の技術のようにすると、下方向からの衝撃によって、斜め上方向に固定対象物が移動してしまうおそれがある。
【０００９】
本発明は、上記事情に鑑みてなされたものであって、下方向からの衝撃によっても表示装置が移動し難い固定システムを提供することを目的とする。
【課題を解決するための手段】
【００１０】
前記従来の課題を解決する為に、円柱の軸部と、前記軸部の直径より大きい幅を有するストッパーとを備える壁掛け部品と、前記軸部の直径以上で、かつ、前記ストッパーの幅以下の幅を有する経路が、鉛直方向に交わる方向に向かって斜めに開口している、壁掛けフレームと、前記経路の鉛直方向上方側の縁に設けられた、前記縁から前記経路側に向かって内側に突出する突起と、を備え、前記壁掛け部品を前記壁掛けフレームに挿入して前記経路の下端部まで前記軸部を移動した際に、前記突起は前記軸部を鉛直方向に通る中心線より前記経路の上方側に位置する、固定システムとした。
【発明の効果】
【００１１】
本発明の固定システムによれば、固定対象物に上方側への力が加わっても、壁掛けフレームの形状が壁掛け部品の移動を制限するので、固定装置が壁掛けフレームから離脱することを防ぐことができる。
【図面の簡単な説明】
【００１２】
【図１】実施の形態１にかかる固定システムを用いて固定された固定対象物の断面図および側面断面図
【図２】実施の形態１にかかる固定システムに使用される壁掛け部品の側面図および断面図
【図３】実施の形態１にかかる固定システムを用いて、固定対象物が壁掛け部品を介して、壁掛けフレームに固定される様子を表す作業図
【図４】実施の形態１にかかる固定システムを用いて固定された固定対象物の側面断面図
【図５】実施の形態１における固定システムで使用される、壁掛けフレームに形成された経路の形状を表す拡大図
【図６】実施の形態１における軸部の移動の様子を表す図
【図７】実施の形態１の変形例における固定システムで使用される、壁掛けフレームに形成された経路の形状を表す拡大図
【図８】実施の形態１の変形例における軸部の移動の様子を表す図
【図９】従来の固定システムにおける壁掛け部品が固定対象物から突出している様子を表した図
【図１０】従来の固定システムにおいて壁掛け部品を壁掛けフレームに固定した状態での断面図
【発明を実施するための形態】
【００１３】
以下本発明の一実施の形態について図面を参照しながら説明する。
【００１４】
（実施の形態１）
以下、図１から図７を参照しながら、実施の形態１について説明する。
【００１５】
＜固定システムの構成＞
固定システムの構成について説明する。
【００１６】
図１を用いて固定システムの全体像について説明する。図１は実施の形態１にかかる固定システムを用いて固定された固定対象物の断面図および側面断面図である。図１（ａ）は固定対象物の背面と平行な断面における断面図である。固定システムは固定対象物１と壁掛け部品２と、壁掛けフレーム３を有する。
【００１７】
固定システムの各構成要素について概略を説明する。固定対象物１はプラズマディスプレイパネルを備えた表示装置である。固定対象物１の背面からは壁掛け部品２が突出している。壁掛け部品２については後ほど詳述する。壁掛け部品２は固定対象物１の背面から４本突出しているが、図面の簡素化の為に符号は省略した。壁掛けフレーム３は壁面（図示しない）に固定されている。
【００１８】
図１（ｂ）を用いて、固定システムの固定の様子の概略を説明する。図１（ｂ）は実施の形態１にかかる固定システムを用いて固定された固定対象物の側面断面図である。壁掛け部品２は、固定システムを用いて固定対象物１が固定された状態では各々が壁掛けフレーム３に形成された溝に挿入されている。このようにして固定対象物１は壁掛け部品２を介して壁掛けフレーム３に固定される。
【００１９】
図２を用いて壁掛け部品２を詳細に説明する。図２は実施の形態１にかかる固定システムに使用される壁掛け部品の側面図および断面図である。図２（ａ）は壁掛け部品の側面図である。図２（ｂ）は壁掛け部品のＡ−Ａ断面図である。壁掛け部品２は軸部４とストッパー５とネジ止め部６とを備える。軸部４は円柱形状の樹脂成型品である。ストッパー５は略円柱外形の樹脂成型品である。本実施の形態では樹脂材料を成型することによって、軸部４とストッパー５とを一体形成した。図２（ａ）（ｂ）から明らかなように、ストッパー５の幅は軸部４の直径より大きい。ストッパー５の幅とは、本実施の形態のようにストッパー５が略円柱形状であればその直径である。他の形状の場合は軸部４の直径より大きい幅を有する部位がストッパー５に形成されていれば良い。これは、壁掛けフレームの溝（後述する）に軸部４を挿入した際に壁掛け部品２が壁掛けフレーム３から抜けない為に必要な構成である。ネジ止め部６は棒状であり、ネジ溝が形成されている（ネジ溝は図示しない）。またネジ止め部６の材質は金属である。ネジ止め部６は軸部４およびストッパー５を固定部材に固定するものである。固定対象物１の背面にはネジ止め部６に対応するネジ穴が形成されている。固定対象物１のネジ穴にネジ止め部６をネジ止めすることによって、壁掛け部品２は固定対象物１に固定される。
【００２０】
固定対象物１を、壁掛け部品２を介して、壁掛けフレーム３に固定する方法を説明する。図３は実施の形態１にかかる固定システムを用いて、固定対象物が壁掛け部品を介して壁掛けフレームに固定される様子を表す作業図である。図３の右側には固定対象物１に壁掛け部品２が固定された状態での側面断面図が描かれている。図３の左側には、経路７が形成された壁掛けフレーム３の正面図が描かれている。経路７は壁掛けフレーム３に切り欠きによって形成されている。経路７の幅は軸部４の直径以上であり、ストッパー５の幅以下である。壁掛けフレーム３は奥行き方向に空間を有する凸形状を有する。よって経路７は奥行き方向に空間を有する。つまり、経路７には軸部４が挿入可能である。図３の矢印が示すように、壁掛け部品２の軸部４は、壁掛けフレーム３の経路７を通る。また、経路７には下端が形成されており、下端において軸部４は固定される。本実施の形態では下端は完全に経路７が閉じるような形状としたが、経路７の幅を狭めて、軸部４を固定するようにしてもよい。要は軸部４がこれ以上鉛直方向下部に移動しないという箇所が必要であり、この条件を満たせば下端である。このようにして固定対象物１は、壁掛け部品２を介して、壁掛けフレーム３に固定される。図４は実施の形態１にかかる固定システムを用いて固定された固定対象物の側面断面図である。固定対象物１はネジ止め部６を介して壁掛け部品２と固定されている。壁掛け部品２は軸部４が経路７に固定されることによって、壁掛けフレーム３と固定されている。このようにして、固定対象物１は、壁掛け部品２を介して、壁掛けフレーム３と固定される。
【００２１】
固定対象物１を固定しようとする作業者が具体的に行うであろう作業は次の手順である。まず、壁掛けフレーム３を壁面に固定する。次いで、固定対象物１に壁掛け部品２を固定する。次いで、固定対象物１を持ち上げ、壁掛けフレーム３の経路７に壁掛け部品２の軸部４を懸架させる。
【００２２】
経路７に軸部４を挿入すれば、後は固定対象物１の自重で経路７の下部まで軸部４が移動する。経路７は斜め下方に向かって開口する部位を有するからである。ここで斜め下方とは、使用の状態を考慮した上で、鉛直方向に交わる方向に向かって斜めという意味である。
【００２３】
＜経路の形状がもたらす作用効果＞
ここで、本実施の形態にかかる固定システムで使用される壁掛けフレーム３に形成された経路７の形状について詳細に説明し、併せて作用効果について説明する。
【００２４】
まず、経路７の形状について詳細に説明する。図５は実施の形態１における固定システムで使用される、壁掛けフレームに形成された経路の形状を表す拡大図である。経路の幅を示すＷ１、Ｗ２は共に軸部４の直径より長い。また、Ｗ２はＷ１より長い。経路７は幅が変化している箇所である突起８を有する。突起８は経路７の鉛直方向上方の縁から経路７側に向かって内側に突出している。軸部４は壁掛け部品２を壁掛けフレーム３に挿入して、経路７の下端部まで軸部４を移動した状態で固定されている。突起８は軸部４を鉛直方向に通る軸部４の中心線（一点鎖線）より、経路７の上方側に位置する。ここで経路７の上方側とは、斜めに形成された経路７を鉛直方向に２分した際に、経路が上方に形成されている側という意味である。経路突起８は上方に移動した軸部４の動きを制限するために形成されたものである。つまり、突起８は、軸部４を鉛直線と水平線で４分割した場合に、軸部４の鉛直上方でかつ、水平位置は経路７の入り口側、すなわち軸部４が経路７から離脱する方の軸部４の面に衝突するように形成すればよい。また突起８は壁掛けフレーム３に切り欠き加工を施すことによって形成されているので、壁掛けフレーム３と同一部材である。突起８と壁掛けフレーム３とがこのように形成されていると、突起８の強度、加工コストの両方に優れる。
【００２５】
次に、経路７の形状がもたらす作用について説明する。図５の状態から軸部４に鉛直方向上方への力（図５右下に記載の矢印の方向への力）が加わった場合、軸部４は経路７の鉛直方向上方側（以下単に上方側とも言う）の縁に沿って移動する。上側の縁と軸部４とが衝突することにより、経路７の入口側（図面左上方向、以下単に左上とも言う）への合力が働くからである。移動の様子について図６を用いて説明する。
【００２６】
図６は実施の形態１における軸部の移動の様子を表す図である。図６（ａ）から図６（ｂ）へと移動の様子が遷移する。軸部４の中心から伸びる矢印は加わる力の向きを示す。図６（ａ）に示されるように、軸部４はまず、上方側、即ち、壁掛け部品２が壁掛けフレーム３から離脱する向きへ移動する。しかしながら、そのまま移動を続けると、図６（ｂ）に示されるように軸部４の左上が突起８に当たる。ここで、軸部４の左上が突起８に当たる理由は、突起８が軸部４を鉛直方向に通る軸部４の中心線（一点鎖線）より、経路７の上方側に位置するからである。すると、軸部４に対して右下側への反発力が生まれる。よって、壁掛け部品２が壁掛けフレーム３へ懸架される方向へ再び軸部４は移動することになる。結果として、軸部４に鉛直方向上方への力が加わっても、壁掛け部品２は壁掛けフレーム３から離脱しない。すなわち、固定対象物１に、鉛直方向上方への力が加わっても、固定対象物１は壁掛けフレーム３から離脱しない。
【００２７】
また、実施の形態１の一変形例としては、経路を図７に示す形状のように経路９としたものが挙げられる。以下説明する。
【００２８】
経路９の形状について詳細に説明する。まず、経路７との共通点について説明する。図７は実施の形態１の変形例における固定システムで使用される、壁掛けフレームに形成された経路の形状を表す拡大図である。経路の幅を示すＷ１、Ｗ２は共に軸部４の直径より長い。また、Ｗ２はＷ１より長い。経路９は幅が変化している箇所である突起１０を有する。突起１０は経路９の鉛直方向上方の縁から経路９側に向かって内側に突出している。軸部４は壁掛け部品２を壁掛けフレーム３に挿入して、経路９の下端部まで軸部４を移動した状態で固定されている。突起１０は軸部４を鉛直方向に通る軸部４の中心線（一点鎖線）より、経路９の上方側に位置する。また突起１０は壁掛けフレーム３を切り欠いて形成されているので、壁掛けフレーム３と同一部材である。
【００２９】
経路９と経路７との差異点について説明する。経路７も経路９も、突起８、１０が軸部４を鉛直方向に通る軸部４の中心線（一点鎖線）より、経路７、９の上方側に位置する点については共通する。経路９はさらに、突起１０が軸部４の鉛直上方に位置する点で経路７と異なる。つまり突起１０が突起８より、軸部４により近接しているとも言える。
【００３０】
このようにすると、軸部４に上方側への力が加わっても、軸部４の移動は微少である。経路７においては軸部４に上方側への力が加わった際に、経路７の上方側の縁との合力が働き、軸部４は経路９の縁に沿って移動した。一方、経路９においては、軸部４に上方側への力が加わった際に、軸部４の上方側に突起１０があるので、図８の矢印で示すように合力が下方側へ加わる。つまり、軸部４が経路９の縁に沿って上方へ移動し辛い。結果として、固定対象物１に上方側への力を加えても、固定対象物１のガタつきが殆ど生じないという効果が生じる。
【００３１】
＜実施の形態１のまとめ＞
本実施の形態およびその変形例によれば、固定対象物１に上方側への力が加わっても、壁掛けフレーム３の形状が壁掛け部品２の移動を制限するので、固定対象物１が壁掛けフレーム３から離脱することを防ぐことができる。
【００３２】
なお、固定対象物１としては種々の電気部品、重量物、展示物を任意に選択することが可能であり、プラズマディスプレイパネルは一実施の形態である。本発明の固定システムによれば、例えば液晶ディスプレイを固定対象物として固定することも可能であるし、時計や絵画等を固定対象物として固定することも可能である。ただし、本実施の形態のように、表示装置を固定対象物として固定することに本発明は特に有用である。本発明は下方から上方へ加わる衝撃に耐性を持つものであるから、人の手の届くところに設置される固定対象物に有用である。また本発明は鉛直方向以外の特定の方向に対しては固定対象物の移動が許容されるので、取り外し可能に壁掛け設置される固定対象物に有用である。また、本発明は静止した状態では固定対象物の自重が重ければ重いほど安定をする構造であるので、重量物品に対して効力を発揮するものである。以上三点を考慮すると、固定対象物に表示装置を適用することが好ましいと言える。
【産業上の利用可能性】
【００３３】
本発明の固定システムは表示装置など壁に掛けて使用する重量物を壁に固定するシステムとして有用である。
【符号の説明】
【００３４】
１  固定対象物
２  壁掛け部品
３  壁掛けフレーム
４  軸部
５  ストッパー
６  ネジ止め部
７，９  経路
８，１０  突起
１００  壁掛け部品
１００ａ  軸部
１００ｂ  ストッパー
２００  固定対象物
３００  壁掛けフレーム
４００  経路
【図１】
2014077450.tif 000003
【図２】
2014077450.tif 000004
【図３】
2014077450.tif 000005
【図４】
2014077450.tif 000006
【図５】
2014077450.tif 000007
【図６】
2014077450.tif 000008
【図７】
2014077450.tif 000009
【図８】
2014077450.tif 000010
【図９】
2014077450.tif 000011
【図１０】
2014077450.tif 000012